(57)【要約】【課題】被監視者の動向を詳細に把握する。【解決手段】通信端末２００が、所定の監視情報を取得し、通信端末２００に対して行われた操作に基づいて、通信端末２００が第１の状態または第２の状態となったかどうかを判定し、通信端末２００が第１の状態となったと判定した場合、第１の信号を制御装置１００へ送信し、通信端末２００が第２の状態となったと判定した場合、第２の信号を制御装置１００へ送信し、制御装置１００は、通信端末２００から第１の信号が送信されてきてから第２の信号が送信されてくるまでの間、通信端末３００に対して監視情報の閲覧を許可する。【選択図】図１
2015156097.tif 000002
【特許請求の範囲】
【請求項１】
監視者が操作する監視端末と、
前記監視者の監視対象である被監視者が所持し、所定の監視情報を取得する被監視端末と、
制御装置とを有し、
前記被監視端末は、当該被監視端末に対して行われた操作に基づいて、当該被監視端末が第１の状態または第２の状態となったかどうかを判定し、当該被監視端末が前記第１の状態となったと判定した場合、第１の信号を前記制御装置へ送信し、当該被監視端末が前記第２の状態となったと判定した場合、第２の信号を前記制御装置へ送信し、
前記制御装置は、前記被監視端末から前記第１の信号が送信されてきてから前記第２の信号が送信されてくるまでの間、前記監視端末に対して前記監視情報の閲覧を許可する監視情報閲覧システム。
【請求項２】
請求項１に記載の監視情報閲覧システムにおいて、
前記被監視端末は、当該被監視端末の存在位置を示す位置情報を前記監視情報として取得する監視情報閲覧システム。
【請求項３】
請求項１または請求項２に記載の監視情報閲覧システムにおいて、
前記被監視端末は、撮影機能を具備し、該撮影機能を用いて撮影した画像を前記監視情報として取得する監視情報閲覧システム。
【請求項４】
請求項１から３のいずれか１項に記載の監視情報閲覧システムにおいて、
前記被監視端末は、集音機能を具備し、該集音機能を用いて当該被監視端末の周囲の音を前記監視情報として取得する監視情報閲覧システム。
【請求項５】
請求項１から４のいずれか１項に記載の監視情報閲覧システムにおいて、
前記被監視端末は、前記取得した監視情報を前記制御装置へ送信し、
前記制御装置は、前記被監視端末から送信されてきた監視情報を第１のメモリに記憶し、該第１のメモリに記憶されている監視情報の閲覧を前記監視端末に対して許可する監視情報閲覧システム。
【請求項６】
請求項１から４のいずれか１項に記載の監視情報閲覧システムにおいて、
前記被監視端末は、前記取得した監視情報を第２のメモリに記憶し、
前記制御装置は、前記第２のメモリに記憶されている監視情報の閲覧を前記監視端末に対して許可する監視情報閲覧システム。
【請求項７】
請求項１から６のいずれか１項に記載の監視情報閲覧システムにおいて、
前記制御装置は、前記被監視端末から前記第１の信号が送信されてきた場合、該第１の信号よりも前に送信されてきた前記第２の信号のうち最後に送信されてきた前記第２の信号を該被監視端末が送信した後に該被監視端末が取得した監視情報の閲覧を前記監視端末に対して許可する監視情報閲覧システム。
【請求項８】
請求項５に記載の監視情報閲覧システムにおいて、
前記制御装置は、前記被監視端末から前記第２の信号が送信されてきた場合、該第２の信号を該被監視端末が送信するまでに該被監視端末が取得した監視情報を前記第１のメモリから削除する監視情報閲覧システム。
【請求項９】
請求項６に記載の監視情報閲覧システムにおいて、
前記被監視端末は、前記第２の信号を送信した場合、該第２の信号を送信するまでに当該被監視端末が取得した監視情報を前記第２のメモリから削除する監視情報閲覧システム。
【請求項１０】
請求項１から９のいずれか１項に記載の監視情報閲覧システムにおいて、
前記被監視端末は、当該被監視端末に対して、所定の第１の操作が行われた場合、前記第１の状態になったと判定し、所定の第２の操作が行われた場合、前記第２の状態になったと判定する監視情報閲覧システム。
【請求項１１】
請求項１から９のいずれか１項に記載の監視情報閲覧システムにおいて、
前記被監視端末は、当該被監視端末に対して、所定の第２の操作が行われた場合、前記第２の状態になったと判定し、その後、所定の時間が経過しても、前記第２の操作が行われない場合、前記第１の状態になったと判定する監視情報閲覧システム。
【請求項１２】
請求項１１に記載の監視情報閲覧システムにおいて、
前記被監視端末は、前記被監視端末の存在位置が所定の範囲外である状態で前記第２の操作が行われて前記第２の状態になったと判定した後、所定の時間が経過しても、前記被監視端末の存在位置が前記範囲外である場合、前記第１の状態になったと判定する監視情報閲覧システム。
【請求項１３】
請求項１から１２のいずれか１項に記載の監視情報閲覧システムにおいて、
前記制御装置は、前記被監視端末から前記第１の信号が送信されてきた場合、前記監視端末に対して所定の第１の通知を行う監視情報閲覧システム。
【請求項１４】
請求項１から１３のいずれか１項に記載の監視情報閲覧システムにおいて、
前記制御装置は、前記被監視端末から前記第２の信号が送信されてきた場合、前記監視端末に対して所定の第２の通知を行う監視情報閲覧システム。
【請求項１５】
監視者の監視対象である被監視者が所持する通信端末であって、
所定の監視情報を取得する監視情報取得部と、
前記監視情報取得部が取得した監視情報を所定の制御装置へ送信する送信部と、
当該通信端末に対して行われた操作に基づいて、当該通信端末が第１の状態または第２の状態になったかどうかを判定する状態判定部とを有し、
前記送信部は、前記状態判定部が、当該通信端末が前記第１の状態になったと判定した場合、第１の信号を前記制御装置へ送信し、当該通信端末が前記第２の状態になったと判定した場合、第２の信号を前記制御装置へ送信する通信端末。
【請求項１６】
監視者の監視対象である被監視者が所持する通信端末であって、
所定の監視情報を取得する監視情報取得部と、
前記監視情報取得部が取得した監視情報を記憶する記憶部と、
当該通信端末に対して行われた操作に基づいて、当該通信端末が第１の状態または第２の状態になったかどうかを判定する状態判定部と、
前記状態判定部が、当該通信端末が前記第１の状態になったと判定した場合、第１の信号を所定の制御装置へ送信し、当該通信端末が前記第２の状態になったと判定した場合、第２の信号を前記制御装置へ送信し、前記制御装置から前記監視情報の要求があった場合、前記記憶部から前記監視情報を読み出して前記制御装置へ送信する送信部とを有する通信端末。
【請求項１７】
監視者の監視対象である被監視者が所持する通信端末であって、
所定の監視情報を取得する監視情報取得部と、
前記監視情報取得部が取得した監視情報を記憶する記憶部と、
当該通信端末に対して行われた操作に基づいて、当該通信端末が第１の状態または第２の状態になったかどうかを判定する状態判定部と、
前記状態判定部が、当該通信端末が前記第１の状態になったと判定してから前記第２の状態になったと判定するまでの間、前記監視者が操作する監視端末に対して、前記記憶部が記憶している監視情報の閲覧を許可する閲覧制御部とを有する通信端末。
【請求項１８】
監視者の監視対象である被監視者が所持する被監視端末から送信されてきた監視情報を記憶する記憶部と、
前記被監視端末から第１の信号が送信されてきてから第２の信号が送信されてくるまでの間、前記監視者が操作する監視端末に対して、前記記憶部が記憶している監視情報の閲覧を許可する閲覧制御部とを有する制御装置。
【請求項１９】
監視者の監視対象である被監視者が所持する被監視端末から第１の信号が送信されてきてから第２の信号が送信されてくるまでの間、前記監視者が操作する監視端末に対して、前記被監視端末が取得した監視情報の閲覧を許可する閲覧制御部を有する制御装置。
【請求項２０】
監視者が操作する監視端末と、前記監視者の監視対象である被監視者が所持する被監視端末と、制御装置とを有するシステムにおける情報閲覧制御方法において、
前記被監視端末が、所定の監視情報を取得する処理と、
前記被監視端末が、当該被監視端末に対して行われた操作に基づいて、当該被監視端末が第１の状態または第２の状態となったかどうかを判定する処理と、
前記被監視端末が、当該被監視端末が前記第１の状態となったと判定した場合、第１の信号を前記制御装置へ送信する処理と、
前記被監視端末が、当該被監視端末が前記第２の状態となったと判定した場合、第２の信号を前記制御装置へ送信する処理と、
前記制御装置が、前記被監視端末から前記第１の信号が送信されてきてから前記第２の信号が送信されてくるまでの間、前記監視端末に対して前記監視情報の閲覧を許可する処理とを行う情報閲覧制御方法。
【請求項２１】
監視者の監視対象である被監視者が所持する被監視端末から送信されてきた監視情報をメモリに記憶する処理と、
前記被監視端末から第１の信号が送信されてきてから第２の信号が送信されてくるまでの間、前記監視者が操作する監視端末に対して、前記メモリが記憶している監視情報の閲覧を許可する処理とを行う情報閲覧制御方法。
【請求項２２】
監視者の監視対象である被監視者が所持する通信端末に、
所定の監視情報を取得する手順と、
前記取得した監視情報を所定の制御装置へ送信する手順と、
当該通信端末に対して行われた操作に基づいて、当該通信端末が第１の状態または第２の状態になったかどうかを判定する手順と、
当該通信端末が前記第１の状態になったと判定した場合、第１の信号を前記制御装置へ送信する手順と、
当該通信端末が前記第２の状態になったと判定した場合、第２の信号を前記制御装置へ送信する手順とを実行させるためのプログラム。
【請求項２３】
監視者の監視対象である被監視者が所持する通信端末に、
所定の監視情報を取得する手順と、
前記取得した監視情報をメモリに記憶する手順と、
当該通信端末に対して行われた操作に基づいて、当該通信端末が第１の状態または第２の状態になったかどうかを判定する手順と、
当該通信端末が前記第１の状態になったと判定した場合、第１の信号を所定の制御装置へ送信する手順と、
当該通信端末が前記第２の状態になったと判定した場合、第２の信号を前記制御装置へ送信する手順とを実行させるためのプログラム。
【請求項２４】
監視者の監視対象である被監視者が所持する通信端末に、
所定の監視情報を取得する手順と、
前記取得した監視情報をメモリに記憶する手順と、
当該通信端末に対して行われた操作に基づいて、当該通信端末が第１の状態または第２の状態になったかどうかを判定する手順と、
当該通信端末が前記第１の状態になったと判定してから前記第２の状態になったと判定するまでの間、前記監視者が操作する監視端末に対して、前記メモリが記憶している監視情報の閲覧を許可する手順とを実行させるためのプログラム。
【請求項２５】
コンピュータに、
監視者の監視対象である被監視者が所持する被監視端末から送信されてきた監視情報をメモリに記憶する手順と、
前記被監視端末から第１の信号が送信されてきてから第２の信号が送信されてくるまでの間、前記監視者が操作する監視端末に対して、前記メモリが記憶している監視情報の閲覧を許可する手順とを実行させるためのプログラム。
【請求項２６】
コンピュータに、
監視者の監視対象である被監視者が所持する被監視端末から第１の信号が送信されてきてから第２の信号が送信されてくるまでの間、前記監視者が操作する監視端末に対して、前記被監視端末が取得した監視情報の閲覧を許可する手順を実行させるためのプログラム。
【発明の詳細な説明】
【技術分野】
【０００１】
本発明は、情報の閲覧を制御する監視情報閲覧システム、通信端末、制御装置、情報閲覧制御方法およびプログラムに関する。
【背景技術】
【０００２】
近年、子供や高齢者等（以下、被監視者と称する）が事故や事件に巻き込まれてしまうことを防ぐために、携帯端末を用いた様々な対策が考えられている。例えば、被監視者に携帯端末を所持させ、当該携帯端末の存在位置が所定の位置から外れたり、危険なエリアに入ったりしたことを検知した場合、警告を発し、当該携帯端末が取得した画像や音声を被監視者の保護者（以下、監視者と称する）の携帯端末へ送信するシステムが考えられている（例えば、特許文献１参照。）。
【先行技術文献】
【特許文献】
【０００３】
【特許文献１】実用新案登録第３１６７７７８号公報
【発明の概要】
【発明が解決しようとする課題】
【０００４】
特許文献１に記載されたようなシステムにおいては、警告を発したり、監視者の携帯端末へ画像や音声を送信したりするかどうかの判断に用いる情報は、被監視者が所持する携帯端末の位置情報のみである。また、監視者の携帯端末が、被監視者の携帯端末の状況を確認できるのは、画像や音声が送信されてきてからであり、それまでの状況を確認することができない。
【０００５】
そのため、被監視者の動向を詳細に把握することができないという問題点がある。
【０００６】
本発明の目的は、上述した課題を解決する監視情報閲覧システム、通信端末、制御装置、情報閲覧制御方法およびプログラムを提供することである。
【課題を解決するための手段】
【０００７】
本発明の監視情報閲覧システムは、
監視者が操作する監視端末と、
前記監視者の監視対象である被監視者が所持し、所定の監視情報を取得する被監視端末と、
制御装置とを有し、
前記被監視端末は、当該被監視端末に対して行われた操作に基づいて、当該被監視端末が第１の状態または第２の状態となったかどうかを判定し、当該被監視端末が前記第１の状態となったと判定した場合、第１の信号を前記制御装置へ送信し、当該被監視端末が前記第２の状態となったと判定した場合、第２の信号を前記制御装置へ送信し、
前記制御装置は、前記被監視端末から前記第１の信号が送信されてきてから前記第２の信号が送信されてくるまでの間、前記監視端末に対して前記監視情報の閲覧を許可する。
【０００８】
また、本発明の通信端末は、
監視者の監視対象である被監視者が所持する通信端末であって、
所定の監視情報を取得する監視情報取得部と、
前記監視情報取得部が取得した監視情報を所定の制御装置へ送信する送信部と、
当該通信端末に対して行われた操作に基づいて、当該通信端末が第１の状態または第２の状態になったかどうかを判定する状態判定部とを有し、
前記送信部は、前記状態判定部が、当該通信端末が前記第１の状態になったと判定した場合、第１の信号を前記制御装置へ送信し、当該通信端末が前記第２の状態になったと判定した場合、第２の信号を前記制御装置へ送信する。
【０００９】
また、本発明の他の通信端末は、
監視者の監視対象である被監視者が所持する通信端末であって、
所定の監視情報を取得する監視情報取得部と、
前記監視情報取得部が取得した監視情報を記憶する記憶部と、
当該通信端末に対して行われた操作に基づいて、当該通信端末が第１の状態または第２の状態になったかどうかを判定する状態判定部と、
前記状態判定部が、当該通信端末が前記第１の状態になったと判定した場合、第１の信号を所定の制御装置へ送信し、当該通信端末が前記第２の状態になったと判定した場合、第２の信号を前記制御装置へ送信し、前記制御装置から前記監視情報の要求があった場合、前記記憶部から前記監視情報を読み出して前記制御装置へ送信する送信部とを有する。
【００１０】
また、本発明の他の通信端末は、
監視者の監視対象である被監視者が所持する通信端末であって、
所定の監視情報を取得する監視情報取得部と、
前記監視情報取得部が取得した監視情報を記憶する記憶部と、
当該通信端末に対して行われた操作に基づいて、当該通信端末が第１の状態または第２の状態になったかどうかを判定する状態判定部と、
前記状態判定部が、当該通信端末が前記第１の状態になったと判定してから前記第２の状態になったと判定するまでの間、前記監視者が操作する監視端末に対して、前記記憶部が記憶している監視情報の閲覧を許可する閲覧制御部とを有する。
【００１１】
また、本発明の制御装置は、
監視者の監視対象である被監視者が所持する被監視端末から送信されてきた監視情報を記憶する記憶部と、
前記被監視端末から第１の信号が送信されてきてから第２の信号が送信されてくるまでの間、前記監視者が操作する監視端末に対して、前記記憶部が記憶している監視情報の閲覧を許可する閲覧制御部とを有する。
【００１２】
また、本発明の他の制御装置は、
監視者の監視対象である被監視者が所持する被監視端末から第１の信号が送信されてきてから第２の信号が送信されてくるまでの間、前記監視者が操作する監視端末に対して、前記被監視端末が取得した監視情報の閲覧を許可する閲覧制御部を有する。
【００１３】
また、本発明の情報閲覧制御方法は、
監視者が操作する監視端末と、前記監視者の監視対象である被監視者が所持する被監視端末と、制御装置とを有するシステムにおける情報閲覧制御方法であって、
前記被監視端末が、所定の監視情報を取得する処理と、
前記被監視端末が、当該被監視端末に対して行われた操作に基づいて、当該被監視端末が第１の状態または第２の状態となったかどうかを判定する処理と、
前記被監視端末が、当該被監視端末が前記第１の状態となったと判定した場合、第１の信号を前記制御装置へ送信する処理と、
前記被監視端末が、当該被監視端末が前記第２の状態となったと判定した場合、第２の信号を前記制御装置へ送信する処理と、
前記制御装置が、前記被監視端末から前記第１の信号が送信されてきてから前記第２の信号が送信されてくるまでの間、前記監視端末に対して前記監視情報の閲覧を許可する処理とを行う。
【００１４】
また、本発明の他の情報閲覧制御方法は、
監視者の監視対象である被監視者が所持する被監視端末から送信されてきた監視情報をメモリに記憶する処理と、
前記被監視端末から第１の信号が送信されてきてから第２の信号が送信されてくるまでの間、前記監視者が操作する監視端末に対して、前記メモリが記憶している監視情報の閲覧を許可する処理とを行う。
【００１５】
また、本発明のプログラムは、
監視者の監視対象である被監視者が所持する通信端末に実行させるためのプログラムであって、
所定の監視情報を取得する手順と、
前記取得した監視情報を所定の制御装置へ送信する手順と、
当該通信端末に対して行われた操作に基づいて、当該通信端末が第１の状態または第２の状態になったかどうかを判定する手順と、
当該通信端末が前記第１の状態になったと判定した場合、第１の信号を前記制御装置へ送信する手順と、
当該通信端末が前記第２の状態になったと判定した場合、第２の信号を前記制御装置へ送信する手順とを実行させる。
【００１６】
また、本発明の他のプログラムは、
監視者の監視対象である被監視者が所持する通信端末に実行させるためのプログラムであって、
所定の監視情報を取得する手順と、
前記取得した監視情報をメモリに記憶する手順と、
当該通信端末に対して行われた操作に基づいて、当該通信端末が第１の状態または第２の状態になったかどうかを判定する手順と、
当該通信端末が前記第１の状態になったと判定した場合、第１の信号を所定の制御装置へ送信する手順と、
当該通信端末が前記第２の状態になったと判定した場合、第２の信号を前記制御装置へ送信する手順とを実行させる。
【００１７】
また、本発明の他のプログラムは、
監視者の監視対象である被監視者が所持する通信端末に実行させるためのプログラムであって、
所定の監視情報を取得する手順と、
前記取得した監視情報をメモリに記憶する手順と、
当該通信端末に対して行われた操作に基づいて、当該通信端末が第１の状態または第２の状態になったかどうかを判定する手順と、
当該通信端末が前記第１の状態になったと判定してから前記第２の状態になったと判定するまでの間、前記監視者が操作する監視端末に対して、前記メモリが記憶している監視情報の閲覧を許可する手順とを実行させる。
【００１８】
また、本発明の他のプログラムは、
コンピュータに実行させるためのプログラムであって、
監視者の監視対象である被監視者が所持する被監視端末から送信されてきた監視情報をメモリに記憶する手順と、
前記被監視端末から第１の信号が送信されてきてから第２の信号が送信されてくるまでの間、前記監視者が操作する監視端末に対して、前記メモリが記憶している監視情報の閲覧を許可する手順とを実行させる。
【００１９】
また、本発明の他のプログラムは、
コンピュータに実行させるためのプログラムであって、
監視者の監視対象である被監視者が所持する被監視端末から第１の信号が送信されてきてから第２の信号が送信されてくるまでの間、前記監視者が操作する監視端末に対して、前記被監視端末が取得した監視情報の閲覧を許可する手順を実行させる。
【発明の効果】
【００２０】
以上説明したように、本発明においては、被監視者の動向を詳細に把握することができる。
【図面の簡単な説明】
【００２１】
【図１】本発明の監視情報閲覧システムの第１の実施の形態を示す図である。
【図２】図１に示した監視情報閲覧システムにおける情報閲覧制御方法を説明するためのシーケンス図である。
【図３】本発明の監視情報閲覧システムの第２の実施の形態を示す図である。
【図４】図３に示した被監視端末の内部構成の一例を示す図である。
【図５】図３に示した制御装置の内部構成の一例を示す図である。
【図６】図５に示した記憶部が記憶している閲覧制御情報の一例を示す図である。
【図７】図３に示した監視情報閲覧システムにおける情報閲覧制御方法のうち、被監視端末が監視情報を取得してから制御装置へ送信するまでの処理するためのフローチャートである。
【図８】図３に示した監視情報閲覧システムにおける情報閲覧制御方法のうち、被監視端末から監視情報が送信されてきてから制御装置が当該監視情報を記憶するまでの処理するためのフローチャートである。
【図９】図３に示した監視情報閲覧システムにおける情報閲覧制御方法のうち、被監視端末が危険状態または安全状態になったと判定したときの被監視端末における処理を説明するためのフローチャートである。
【図１０】図３に示した監視情報閲覧システムにおける情報閲覧制御方法のうち、被監視端末が危険状態または安全状態になったと判定したときの制御装置における処理を説明するためのフローチャートである。
【図１１】本発明の監視情報閲覧システムの第３の実施の形態を示す図である。
【図１２】図１１に示した制御装置の内部構成の一例を示す図である。
【図１３】図１２に示した記憶部に記憶された信号受信ログの一例を示す図である。
【図１４】図１２に示した記憶部に記憶された閲覧制御情報の一例を示す図である。
【図１５】図１１に示した監視情報閲覧システムにおける情報閲覧制御方法のうち、被監視端末から危険トリガ信号または安全トリガ信号が送信されてきたときの制御装置における処理を説明するためのフローチャートである。
【図１６】本発明の監視情報閲覧システムの第４の実施の形態を示す図である。
【図１７】図１６に示した制御装置の内部構成の一例を示す図である。
【図１８】図１６に示した監視情報閲覧システムにおける情報閲覧制御方法のうち、被監視端末から危険トリガ信号または安全トリガ信号が送信されてきたときの制御装置における処理を説明するためのフローチャートである。
【図１９】本発明の監視情報閲覧システムの第５の実施の形態を示す図である。
【図２０】図１９に示した被監視端末の内部構成の一例を示す図である。
【図２１】図１９に示した制御装置の内部構成の一例を示す図である。
【図２２】図２１に示した記憶部が記憶している閲覧制御情報の一例を示す図である。
【図２３】図１９に示した監視情報閲覧システムにおける情報閲覧制御方法のうち、被監視端末が監視情報を取得してから記憶するまでの処理するためのフローチャートである。
【図２４】図１９に示した監視情報閲覧システムにおける情報閲覧制御方法のうち、被監視端末が危険状態または安全状態になったと判定したときの制御装置における処理を説明するためのフローチャートである。
【図２５】図１９に示した監視情報閲覧システムにおける情報閲覧制御方法のうち、制御装置から監視情報の要求があった場合の被監視端末における処理を説明するためのフローチャートである。
【図２６】本発明の監視情報閲覧システムの第６の実施の形態を示す図である。
【図２７】図２６に示した被監視端末の内部構成の一例を示す図である。
【図２８】図２７に示した記憶部が記憶している閲覧制御情報の一例を示す図である。
【図２９】図２６に示した監視情報閲覧システムにおける情報閲覧制御方法のうち、被監視端末が危険状態または安全状態になったと判定したときの処理を説明するためのフローチャートである。
【発明を実施するための形態】
【００２２】
以下に、本発明の実施の形態について図面を参照して説明する。
（第１の実施の形態）
図１は、本発明の監視情報閲覧システムの第１の実施の形態を示す図である。
【００２３】
本形態は図１に示すように、制御装置１００と、通信端末２００，３００とが設けられている。なお、図１には、通信端末２００，３００がそれぞれ１台ずつである場合を例に挙げて示しているが、その数に限定しない。
【００２４】
通信端末３００は、監視者（例えば、親等の保護者）が操作する監視端末である。通信端末３００は、移動可能な通信端末であっても良いし、設置型の通信端末であっても良い。
【００２５】
通信端末２００は、監視者の監視対象である被監視者（例えば、子供やお年寄り等）が所持する携帯可能な被監視端末である。また、通信端末２００は、所定の監視情報を取得する。この監視情報については、第２の実施の形態以降で詳細に説明する。また、通信端末２００は、通信端末２００に対して行われた操作に基づいて、通信端末２００が所定の第１の状態（以下、危険状態と称する）または所定の第２の状態（以下、安全状態と称する）となったかどうかを判定する。この危険状態とは、被監視者が体調不良により動けなくなってしまったり、事件や事故等に巻き込まれてしまったりしたことを想到させるような状態、つまり、監視者が被監視者の動向を確認する必要がある状態である。また、安全状態とは、被監視者が通常の生活を送っていることを想到させるような状態であり、被監視者が危険状態ではない状態である。また、通信端末２００は、通信端末２００が危険状態となったと判定した場合、第１の信号（以下、危険トリガ信号と称する）を制御装置１００へ送信する。また、通信端末２００は、通信端末２００が安全状態となったと判定した場合、第２の信号（以下、安全トリガ信号と称する）を制御装置１００へ送信する。
【００２６】
制御装置１００は、通信端末２００が取得した監視情報の通信端末３００からの閲覧を制御する。具体的には、制御装置１００は、通信端末２００から危険トリガ信号が送信されてきてから安全トリガ信号が送信されてくるまでの間、通信端末３００に対して監視情報の閲覧を許可する。なお、制御装置１００は、それ以外の時間では、通信端末３００に対して監視情報の閲覧を禁止する。この監視情報の閲覧の許可は、通信端末３００から監視情報の閲覧の要求があった場合、通信端末３００に対して監視情報の閲覧の制限をかけないことである。また、監視情報の閲覧の禁止は、通信端末３００から監視情報の閲覧の要求があった場合、通信端末３００に対して監視情報の閲覧の制限をかけ、通信端末３００からの当該監視情報へのアクセスを禁止することである。
【００２７】
以下に、図１に示した監視情報閲覧システムにおける情報閲覧制御方法について説明する。
【００２８】
図２は、図１に示した監視情報閲覧システムにおける情報閲覧制御方法を説明するためのシーケンス図である。ここで、通信端末２００は、所定のタイミングで監視情報を取得している。また、初期状態では、制御装置１００は、通信端末３００に対して監視情報の閲覧を禁止している。
【００２９】
まず、通信端末２００は、通信端末２００に対して行われた操作に基づいて、通信端末２００が危険状態または安全状態となったかどうかを判定する。通信端末２００は、通信端末２００が危険状態になったと判定すると（ステップＳ１）、制御装置１００へ危険トリガ信号を送信する（ステップＳ２）。
【００３０】
通信端末２００から危険トリガ信号が送信されてくると、制御装置１００は、通信端末３００に対して監視情報の閲覧を許可する（ステップＳ３）。つまり、制御装置１００は、通信端末２００から危険トリガ信号が送信されてくると、それまで通信端末３００に対して閲覧を禁止していた監視情報の閲覧を許可する。
【００３１】
その後、通信端末２００は、通信端末２００が安全状態になったと判定すると（ステップＳ４）、制御装置１００へ安全トリガ信号を送信する（ステップＳ５）。
【００３２】
通信端末２００から安全トリガ信号が送信されてくると、制御装置１００は、通信端末３００に対して監視情報の閲覧を禁止する（ステップＳ６）。つまり、制御装置１００は、通信端末２００から安全トリガ信号が送信されてくると、それまで通信端末３００に対して閲覧を許可していた監視情報の閲覧を禁止する。
【００３３】
このように、被監視端末が取得していた監視情報を、被監視端末が危険状態になったと判定したときから安全状態になったと判定したときまでの間、監視端末から閲覧可能とする。これにより、被監視端末が危険状態である場合に被監視者の動向を詳細に把握することができる。
（第２の実施の形態）
図３は、本発明の監視情報閲覧システムの第２の実施の形態を示す図である。
【００３４】
本形態は図３に示すように、制御装置１０１と、通信端末２０１，３００とが設けられている。また、制御装置１０１と、通信端末２０１，３００とが互いに通信ネットワーク４００を介して接続されている。なお、図３には、通信端末２０１，３００がそれぞれ１台ずつである場合を例に挙げて示しているが、その数に限定しない。
【００３５】
通信端末３００は、第１の実施の形態におけるものと同じものである。
【００３６】
通信端末２０１は、監視者の監視対象である被監視者（例えば、子供やお年寄り等）が所持する携帯可能な被監視端末である。
【００３７】
図４は、図３に示した通信端末２０１の内部構成の一例を示す図である。
【００３８】
図３に示した通信端末２０１には図４に示すように、監視情報取得部２１０と、送信部２２０と、状態判定部２３０とが設けられている。なお、図４には、図３に示した通信端末２０１に設けられた構成要素のうち、本実施の形態に関わる主要な構成要素の一例を示す。
【００３９】
監視情報取得部２１０は、所定のタイミングで所定の監視情報を取得する。監視情報は、通信端末２０１の存在位置を示す位置情報であっても良い。この場合、監視情報取得部２１０は、例えば、ＧＰＳ（Ｇｌｏｂａｌ  Ｐｏｓｉｔｉｏｎｉｎｇ  Ｓｙｓｔｅｍ）機能を具備し、ＧＰＳ機能を用いて通信端末２０１の位置情報を監視情報として取得するものであっても良い。また、監視情報取得部２１０は、接続された無線基地局から通信端末２０１の位置情報を監視情報として取得するものであっても良い。また、監視情報は、通信端末２０１の周囲の映像であっても良い。この場合、監視情報取得部２１０は、例えば、カメラ等の撮影機能を具備し、この撮影機能を用いて撮影した画像（映像）を監視情報として取得するものであっても良い。また、監視情報は、通信端末２０１の周囲の音であっても良い。この場合、監視情報取得部２１０は、マイク等の集音機能を具備し、この集音機能を用いて周囲の音を監視情報として取得するものであっても良い。ここで説明した監視情報は、第１の実施の形態および第３〜６の実施の形態においても同じである。また、監視情報取得部２１０が監視情報を取得するタイミングはあらかじめ設定された周期（昼夜で異なる周期であっても良いし、曜日や季節に応じて異なる周期であっても良い）あっても良いし、あらかじめ設定された時刻であっても良い。また、このタイミングは、以下に説明する状態判定部２３０の判定結果とは関係なく、独立したもので良い。また、このタイミングは、状態判定部２３０が、通信端末２０１が危険状態または安全状態になったかどうかを判定する条件に影響しない範囲で、または、監視者と被監視者との間であらかじめ設定した範囲で、監視情報を取得しなくてもよい期間が設けられたものでも構わない。
【００４０】
状態判定部２３０は、通信端末２０１に対して行われた操作に基づいて、通信端末２０１が危険状態または安全状態になったかどうかを判定する。この操作について、説明する。
【００４１】
まず、通信端末２０１に対して以下に挙げる操作例のうち、少なくとも１つの操作が行われた場合、状態判定部２３０は、通信端末２０１が危険状態になったと判定する。ただし、以下に挙げる操作例以外の条件を、状態判定部２３０が、通信端末２０１が危険状態になったと判定する条件にしても構わない。
・第１の操作（通信端末２０１に設けられた危険を通知するためのボタンの選択操作やブザーの押下操作）が行われた場合。
・状態判定部２３０が、通信端末２０１が安全状態になったと判定した後、所定の時間が経過しても、第２の操作が行われなかった場合。ただし、被監視者の就寝時間の間は、状態判定部２３０が、この操作による判定は行わないか、もしくは所定の時間を被監視者の就寝時間以上の時間に設定しておくことが望ましい。
・状態判定部２３０が、通信端末２０１の存在位置が所定の範囲外である状態で通信端末２０１が安全状態になったと判定した後、所定の時間が経過しても、通信端末２０１の存在位置が所定の範囲外である場合。
【００４２】
ここで、第２の操作は、通信端末２０１に設けられた安全を通知するためのボタンの選択操作や、通信端末２０１への情報の入力、音声発信、電子メール発信、Ｗｅｂ閲覧、アプリケーションの起動、通信端末２０１の充電器への接続、通信端末２０１の充電器からの切断等の被監視者が平常時に通信端末２０１に対して行うことができる操作である。また、例えば、被監視者の家の中の所定の場所（例えば、普段、被監視者が通信端末２０１を置いておく場所や、通信端末２０１を格納するホルダー等）にＲＩＦＤ（Ｒａｄｉｏ  Ｆｒｅｑｕｅｎｃｙ  ＩＤｅｎｔｉｆｉｃａｔｉｏｎ）タグを取り付けておき、通信端末２０１にＲＦＩＤタグリーダを搭載しておくものであっても良い。そのＲＦＩＤタグリーダがＲＦＩＤタグを認識したときに、状態判定部２３０が通信端末２０１に対して第２の操作が行われたと判定するものであっても良い。この場合、ＲＦＩＤを用いた近距離無線通信に限らず、他の近距離無線通信方式を用いるものであっても構わない。
【００４３】
また、通信端末２０１に対して以下の操作が行われた場合、状態判定部２３０は、通信端末２０１が安全状態になったと判定する。また、通信端末２０１に対して以下に挙げる操作例のうち、少なくとも１つの操作が行われた場合、状態判定部２３０は、通信端末２０１が安全状態になったと判定する。ただし、以下に挙げる操作例以外の条件を、状態判定部２３０が、通信端末２０１が安全状態になったと判定する条件にしても構わない。
・第２の操作が行われた場合。
・通信端末２０１の存在位置が所定の範囲の外から中に入った場合。
【００４４】
以上説明した操作および状態の判定方法は、第１の実施の形態および第３〜６の実施の形態においても同じである。
【００４５】
送信部２２０は、監視情報取得部２１０が取得した監視情報を、通信ネットワーク４００を介して制御装置１０１へ送信する。なお、送信部２２０が監視情報を送信するタイミングは、特に規定しない。例えば、送信部２２０は、あらかじめ設定された時刻や周期で監視情報を送信するものであっても良いし、監視情報を取得したことをトリガに当該監視情報を送信しても良い。また、送信部２２０は、通信端末２０１が制御装置１０１と接続できない状態である場合には、接続できる状態になってから、監視情報を送信しても良い。また、送信部２２０は、状態判定部２３０が、通信端末２０１が危険状態になったと判定した場合、通信ネットワーク４００を介して危険トリガ信号を制御装置１０１へ送信する。また、送信部２２０は、状態判定部２３０が、通信端末２０１が安全状態になったと判定した場合、通信ネットワーク４００を介して安全トリガ信号を制御装置１０１へ送信する。
【００４６】
制御装置１０１は、通信端末２０１が取得した監視情報の通信端末３００からの閲覧を制御する。
【００４７】
図５は、図３に示した制御装置１０１の内部構成の一例を示す図である。
【００４８】
図３に示した制御装置１０１には図５に示すように、通信部１１０と、閲覧制御部１２０と、記憶部１３０とが設けられている。なお、図５には、図３に示した制御装置１０１に設けられた構成要素のうち、本実施の形態に関わる主要な構成要素の一例を示す。
【００４９】
通信部１１０は、通信ネットワーク４００との間のインタフェース機能を具備し、通信ネットワーク４００を介して他の通知装置との間で信号の送受信を行う。
【００５０】
閲覧制御部１２０は、記憶部１３０が記憶している監視情報の通信端末３００からの閲覧を制御する。具体的には、閲覧制御部１２０は、通信端末２０１から危険トリガ信号が送信されてきてから安全トリガ信号が送信されてくるまでの間、通信端末３００に対して、記憶部１３０が記憶している監視情報の閲覧を許可する。この閲覧の許可は、通信端末３００から監視情報の閲覧の要求があった場合に、通信端末３００に対して監視情報の閲覧の制限をかけないものであっても良い。また、この閲覧の許可は、通信端末３００から監視情報の閲覧の要求の有り無しに関わらず、閲覧制御部１２０が記憶部１３０に記憶されている監視情報を読み出して、所定のタイミングで通信部１１０を介して通信端末３００へ送信するものであっても良い。また、閲覧制御部１２０は、監視情報の閲覧を許可する際、記憶部１３０に記憶されている閲覧制御情報の閲覧制限に、許可を示す旨を書き込む。なお、閲覧制御部１２０は、それ以外の時間では、通信端末３００に対して監視情報の閲覧（アクセス）を禁止する。また、閲覧制御部１２０は、監視情報の閲覧を禁止する際、記憶部１３０に記憶されている閲覧制御情報の閲覧制限に、禁止を示す旨を書き込む。また、閲覧制御部１２０は、通信端末２０１から危険トリガ信号が送信されてきた際、通信端末３００に対して、その旨を示す通知（第１の通知）を行うものであっても良い。また、閲覧制御部１２０は、通信端末２０１から安全トリガ信号が送信されてきた際、通信端末３００に対して、その旨を示す通知（第２の通知）を行うものであっても良い。この第１および第２の通知は、電子メールやショートメッセージを用いて行うものであっても良い。
【００５１】
記憶部１３０は、通信端末２０１から送信されてきた監視情報を記憶する第１のメモリである。また、記憶部１３０は、監視端末と被監視端末とを対応付け、およびその対応付けに監視情報と閲覧制限とを対応付けて、閲覧制御情報として記憶する。
【００５２】
図６は、図５に示した記憶部１３０が記憶している閲覧制御情報の一例を示す図である。
【００５３】
図５に示した記憶部１３０には図６に示すように、被監視端末識別子と、監視情報ファイル名と、閲覧制限と、監視端末識別子とが対応付けられて閲覧制御情報として記憶されている。被監視端末識別子は、被監視端末を識別するためにあらかじめ付与された識別情報である。監視情報ファイル名は、被監視端末から送信されて記憶部１３０に記憶されている監視情報に付与されたファイル名である。閲覧制限は、当該閲覧制限と対応付けられた監視情報ファイルへの監視端末からの閲覧を許可するか禁止するかを示す情報である。監視端末識別子は、監視端末を識別するためにあらかじめ付与された識別情報である。
【００５４】
例えば、図６に示すように記憶部１３０に記憶された閲覧制御情報には、被監視端末識別子「Ａ００１」と、監視情報ファイル名「Ａ００１＿２０１４０１０５」と、閲覧制限「禁止」と、監視端末識別子「Ｂ００１」とが対応付けられている。これは、被監視端末識別子が「Ａ００１」である通信端末から送信されてきた監視情報が「Ａ００１＿２０１４０１０５」というファイル名で記憶部１３０に記憶されており、この通信端末を監視する監視端末の監視端末識別子が「Ｂ００１」であり、現在、監視端末からの監視情報の閲覧は禁止されていることを示している。また、被監視端末識別子「Ａ００２」と、監視情報ファイル名「Ａ００２＿２０１４０１０５」と、閲覧制限「禁止」と、監視端末識別子「Ｂ００２」とが対応付けられている。これは、被監視端末識別子が「Ａ００２」である通信端末から送信されてきた監視情報が「Ａ００２＿２０１４０１０５」というファイル名で記憶部１３０に記憶されており、この通信端末を監視する監視端末の監視端末識別子が「Ｂ００２」であり、現在、監視端末からの監視情報の閲覧は禁止されていることを示している。
【００５５】
以下に、図３に示した監視情報閲覧システムにおける情報閲覧制御方法について説明する。まずは、図３に示した監視情報閲覧システムにおける情報閲覧制御方法のうち、通信端末２０１が監視情報を取得してから制御装置１０１が監視情報を記憶するまでの処理について説明する。
【００５６】
図７は、図３に示した監視情報閲覧システムにおける情報閲覧制御方法のうち、通信端末２０１が監視情報を取得してから制御装置１０１へ送信するまでの処理するためのフローチャートである。
【００５７】
まず、監視情報取得部２１０は、所定のタイミングで監視情報を取得する（ステップＳ１１）。続いて、送信部２２０が、監視情報取得部２１０が取得した監視情報を、所定のタイミングで通信ネットワーク４００を介して制御装置１０１へ送信する（ステップＳ１２）。ここで、監視情報取得部２１０が監視情報を取得してから、送信部２２０が当該監視情報を送信するまで、通信端末２０１は当該監視情報を一時的にメモリ等に記憶しておく。また、送信部２２０は、監視情報取得部２１０が監視情報を取得した日時を示す日時情報を、当該監視情報と共に制御装置１０１へ送信する。
【００５８】
図８は、図３に示した監視情報閲覧システムにおける情報閲覧制御方法のうち、通信端末２０１から監視情報が送信されてきてから制御装置１０１が当該監視情報を記憶するまでの処理するためのフローチャートである。
【００５９】
通信部１１０が、通信端末２０１から通信ネットワーク４００を介して送信されてきた監視情報を受信すると（ステップＳ２１）、記憶部１３０は、当該監視情報を記憶する（ステップＳ２２）。このとき、記憶部１３０は、監視情報にファイル名を付与して記憶する。また、記憶部１３０は、監視情報を記憶する際、当該監視情報と共に送信されてきた日時情報を対応付けて記憶する。また、記憶部１３０は、送信されてきた監視情報を所定の単位（取得した期間やファイル容量等）に分割して記憶するものであっても良いし、受信した単位で記憶するものであっても良い。
【００６０】
次に、図３に示した監視情報閲覧システムにおける情報閲覧制御方法のうち、通信端末２０１が危険状態または安全状態になったと判定したときの処理について説明する。この処理は、上述した監視情報の取得、送信、記憶の処理とは別個の処理として行われる。
【００６１】
図９は、図３に示した監視情報閲覧システムにおける情報閲覧制御方法のうち、通信端末２０１が危険状態または安全状態になったと判定したときの通信端末２０１における処理を説明するためのフローチャートである。ここで、通信端末２０１の初期状態は、安全状態である。
【００６２】
まず、状態判定部２３０は、通信端末２０１に対して行われた操作に基づいて、通信端末２０１が危険状態となったかどうかを判定する（ステップＳ３１）。状態判定部２３０が、通信端末２０１が危険状態になったと判定すると、送信部２２０は、通信ネットワーク４００を介して制御装置１０１へ危険トリガ信号を送信する（ステップＳ３２）。その後、状態判定部２３０は、通信端末２０１に対して行われた操作に基づいて、通信端末２０１が安全状態となったかどうかを判定する（ステップＳ３３）。状態判定部２３０が、通信端末２０１が安全状態になったと判定すると、送信部２２０は、通信ネットワーク４００を介して制御装置１０１へ安全トリガ信号を送信する（ステップＳ３４）。
【００６３】
図１０は、図３に示した監視情報閲覧システムにおける情報閲覧制御方法のうち、通信端末２０１が危険状態または安全状態になったと判定したときの制御装置１０１における処理を説明するためのフローチャートである。
【００６４】
まず、閲覧制御部１２０は、記憶部１３０に記憶されている閲覧制御情報の閲覧制限に「禁止」を書き込むことで、通信端末３００に対して監視情報の閲覧を禁止する設定を行う（ステップＳ４１）。この状態で通信端末３００から監視情報の閲覧の要求があった場合、閲覧制御部１２０は、通信端末３００に対して監視情報の閲覧を許可しない。このとき、通信端末３００に対して監視情報の閲覧を許可しない旨を示す通知を行っても良い。
【００６５】
その後、閲覧制御部１２０は、通信部１１０が危険トリガ信号を受信したかどうかを判定する（ステップＳ４２）。閲覧制御部１２０は、通信部１１０が危険トリガ信号を受信したと判定した場合、記憶部１３０に記憶されている閲覧制御情報の閲覧制限に「許可」を書き込むことで、通信端末３００に対して監視情報の閲覧を許可する設定を行う（ステップＳ４３）。このとき、閲覧制御部１２０は、通信端末３００に対して、その旨を示す通知を行うものであっても良い。この状態で通信端末３００から監視情報の閲覧の要求があった場合、閲覧制御部１２０は、通信端末３００に対して監視情報の閲覧を許可する。このとき、閲覧制御部１２０は、監視情報を記憶部１３０から読み出して、通信端末３００に対して通信部１１０を介して送信する。また、通信端末３００から監視情報の閲覧の要求があるかないかに関わらず、閲覧制御部１２０は、監視情報を記憶部１３０から読み出して、所定のタイミングで通信端末３００に対して通信部１１０を介して送信するものであっても良い。また、閲覧制御部１２０は、監視情報を通信端末３００に対して送信するのではなく、監視情報が閲覧できるサイトを示す情報（例えば、ＵＲＬ（Ｕｎｉｆｏｒｍ  Ｒｅｓｏｕｒｃｅ  Ｌｏｃａｔｏｒ）等）を通信端末３００に対して送信するものであっても良い。
【００６６】
その後、閲覧制御部１２０は、通信部１１０が安全トリガ信号を受信したかどうかを判定する（ステップＳ４４）。閲覧制御部１２０は、通信部１１０が安全トリガ信号を受信したと判定した場合、ステップＳ４１の処理を行う。このとき、閲覧制御部１２０は、通信端末３００に対して、その旨を示す通知を行うものであっても良い。
【００６７】
なお、通信端末３００においては、所定のアプリケーション等を用いて記憶部１３０に記憶されている監視情報の閲覧の要求を行った後、制御装置１０１から送信されてきた監視情報を、監視者が認識可能に画面表示や音出力等で外部へ出力する。また、通信端末３００は制御装置１０１から監視情報を閲覧できるサイトを示す情報が送信されてきた場合、当該サイトへアクセスし、取得した監視情報を、監視者が認識可能に画面表示や音出力等で外部へ出力する。
【００６８】
このように、記憶部１３０に記憶されている監視情報を、制御装置１０１が、被監視端末が危険状態になったと判定したときから安全状態になったと判定したときまでの間、監視端末から閲覧可能とする。これにより、被監視端末が危険状態である場合に被監視者の動向を詳細に把握することができる。
（第３の実施の形態）
閲覧制御部１２０が通信端末３００に対して閲覧可能とする監視情報の閲覧範囲に制限をかけるものであっても良い。
【００６９】
図１１は、本発明の監視情報閲覧システムの第３の実施の形態を示す図である。
【００７０】
本形態は図１１に示すように、制御装置１０２と、通信端末２０１，３００とが設けられている。また、制御装置１０２と、通信端末２０１，３００とが互いに通信ネットワーク４００を介して接続されている。なお、図１１には、通信端末２０１，３００がそれぞれ１台ずつである場合を例に挙げて示しているが、その数に限定しない。
【００７１】
通信端末２０１，３００は、第２の実施の形態におけるものと同じものである。
【００７２】
制御装置１０２は、通信端末２０１が取得した監視情報の通信端末３００からの閲覧を制御する。このとき、制御装置１０２は、監視情報の閲覧範囲も制限する。
【００７３】
図１２は、図１１に示した制御装置１０２の内部構成の一例を示す図である。
【００７４】
図１１に示した制御装置１０２には図１２に示すように、通信部１１０と、閲覧制御部１２１と、記憶部１３１とが設けられている。なお、図１２には、図１１に示した制御装置１０２に設けられた構成要素のうち、本実施の形態に関わる主要な構成要素の一例を示す。
【００７５】
通信部１１０は、第２の実施の形態におけるものと同じである。
【００７６】
記憶部１３１は、通信端末２０１から送信されてきた監視情報を記憶する第１のメモリである。また、記憶部１３１は、監視端末と被監視端末とを対応付け、およびその対応付けに監視情報と閲覧制限とを対応付けて、さらに閲覧範囲を対応付けて閲覧制御情報として記憶する。また、記憶部１３１は、危険トリガ信号または安全トリガ信号を受信した日時を信号受信ログとして記憶する。
【００７７】
図１３は、図１２に示した記憶部１３１に記憶された信号受信ログの一例を示す図である。
【００７８】
図１２に示した記憶部１３１には図１３に示すように、被監視端末識別子と、受信日時と、受信信号とが対応付けられて信号受信ログとして記憶されている。被監視端末識別子は、被監視端末を識別するためにあらかじめ付与された識別情報である。受信日時は、通信部１１０が危険トリガ信号または安全トリガ信号を受信した日時である。受信信号は、通信部１１０が受信した信号が危険トリガ信号と安全トリガ信号とのどちらであるかを示す情報である。
【００７９】
例えば、図１３に示すように記憶部１３１に記憶された信号受信ログには、被監視端末識別子「Ａ００１」と、受信日時「２０１４／１／５  １３：３２：４５」と、受信信号「安全トリガ信号」とが対応付けられている。これは、被監視端末識別子が「Ａ００１」である通信端末から送信されてきた「安全トリガ信号」を通信部１１０が２０１４年１月５日１３時３２分４５秒に受信したことを示している。また、被監視端末識別子「Ａ１３５」と、受信日時「２０１４／１／５  １４：５４：１５」と、受信信号「安全トリガ信号」とが対応付けられている。これは、被監視端末識別子が「Ａ１３５」である通信端末から送信されてきた「安全トリガ信号」を通信部１１０が２０１４年１月５日１４時５４分１５秒に受信したことを示している。また、被監視端末識別子「Ａ３５２」と、受信日時「２０１４／１／５  １７：０１：１５」と、受信信号「安全トリガ信号」とが対応付けられている。これは、被監視端末識別子が「Ａ３５２」である通信端末から送信されてきた「安全トリガ信号」を通信部１１０が２０１４年１月５日１７時１分１５秒に受信したことを示している。また、被監視端末識別子「Ａ００１」と、受信日時「２０１４／１／５  １８：３２：４５」と、受信信号「危険トリガ信号」とが対応付けられている。これは、被監視端末識別子が「Ａ００１」である通信端末から送信されてきた「危険トリガ信号」を通信部１１０が２０１４年１月５日１８時３２分４５秒に受信したことを示している。
【００８０】
図１４は、図１２に示した記憶部１３１に記憶された閲覧制御情報の一例を示す図である。
【００８１】
図１２に示した記憶部１３１には図１４に示すように、被監視端末識別子と、監視情報ファイル名と、閲覧範囲と、閲覧制限と、監視端末識別子とが対応付けられて閲覧制御情報として記憶されている。被監視端末識別子は、被監視端末を識別するためにあらかじめ付与された識別情報である。監視情報ファイル名は、被監視端末から送信されて記憶部１３１に記憶されている監視情報に付与されたファイル名である。閲覧範囲は、閲覧制御部１２１が監視端末に対して閲覧を許可する監視情報の範囲である。閲覧制限は、当該閲覧制限と対応付けられた監視情報ファイルへの監視端末からの閲覧を許可するか禁止するかを示す情報である。監視端末識別子は、監視端末を識別するためにあらかじめ付与された識別情報である。
【００８２】
例えば、図１４に示すように記憶部１３１に記憶された閲覧制御情報には、被監視端末識別子「Ａ００１」と、監視情報ファイル名「Ａ００１＿２０１４０１０５」と、閲覧範囲「２０１４／１／５  １３：３２：４５」と、閲覧制限「許可」と、監視端末識別子「Ｂ００１」とが対応付けられている。これは、被監視端末識別子が「Ａ００１」である通信端末から送信されてきた監視情報が「Ａ００１＿２０１４０１０５」というファイル名で記憶部１３１に記憶されており、この通信端末を監視する監視端末の監視端末識別子が「Ｂ００１」であり、現在、監視端末からの監視情報の閲覧は「Ａ００１＿２０１４０１０５」の監視情報のうち２０１４年１月５日１３時３２分４５秒以降に取得された監視情報のみ許可されていることを示している。
【００８３】
閲覧制御部１２１は、通信端末２０１から危険トリガ信号が送信されてきた場合、その危険トリガ信号よりも前に送信されてきた安全トリガ信号のうち最後に送信されてきた安全トリガ信号を通信端末２０１が送信した後に通信端末２０１が取得した監視情報の閲覧を通信端末３００に対して許可する。この具体例として、図１４に示した閲覧制御情報が記憶部１３１に記憶されている場合を例に挙げて説明する。閲覧制御部１２１は、監視端末識別子が「Ｂ００１」である通信端末から監視情報の閲覧が要求された場合、記憶部１３１に記憶された閲覧制御情報を参照し、「Ａ００１＿２０１４０１０５」の監視情報のうち１３時３２分４５秒以降に取得された監視情報のみの閲覧を、当該通信端末に対して許可する。
【００８４】
以下に、図１１に示した監視情報閲覧システムにおける情報閲覧制御方法について説明する。図１１に示した通信端末２０１が監視情報を取得してから制御装置１０２が監視情報を記憶するまでの処理および通信端末２０１が危険状態または安全状態になったと判定したときの通信端末２０１における処理は、第２の実施の形態で説明した処理と同じであるため、ここでは説明を省略する。
【００８５】
図１５は、図１１に示した監視情報閲覧システムにおける情報閲覧制御方法のうち、通信端末２０１から危険トリガ信号または安全トリガ信号が送信されてきたときの制御装置１０２における処理を説明するためのフローチャートである。なお、初期状態では、記憶部１３１の閲覧制御情報の閲覧制限に「禁止」が記憶されている。
【００８６】
通信部１１０が通信端末２０１から送信されてきた信号を受信すると（ステップＳ５１）、記憶部１３１は、通信端末２０１の被監視端末識別子と、当該信号の受信日時とを対応付けて信号受信ログとして記憶する（ステップＳ５２）。また、閲覧制御部１２１は、通信部１１０が受信した信号が危険トリガ信号であるか安全トリガ信号であるかを判定する（ステップＳ５３）。
【００８７】
閲覧制御部１２１が、通信部１１０が受信した信号が危険トリガ信号であると判定した場合、閲覧制御部１２１は、記憶部１３１に記憶されている閲覧制御情報の閲覧制限に「許可」を書き込むことで、通信端末３００に対して監視情報の閲覧を許可する設定を行う（ステップＳ５４）。このとき、記憶部１３１は、ステップＳ５２にて記憶した信号受信ログの受信信号として「危険トリガ信号」を記憶する。また、閲覧制御部１２１は、通信端末３００に対して、危険トリガ信号を受信した旨を示す通知を行うものであっても良い。この通知は、電子メールやショートメッセージを用いて行うものであっても良い。通信端末３００からの監視情報の閲覧方法は、第２の実施の形態で説明したものと同じである。
【００８８】
一方、閲覧制御部１２１が、通信部１１０が受信した信号が安全トリガ信号であると判定した場合、閲覧制御部１２１は、記憶部１３１に記憶されている閲覧制御情報の閲覧制限に「禁止」を書き込むことで、通信端末３００に対して監視情報の閲覧を禁止する設定を行う（ステップＳ５５）。なお、このとき、記憶部１３１に記憶されている閲覧制御情報の閲覧制限がすでに「禁止」である場合、記憶部１３１はあらためて「禁止」を書き込まなくても良いし、「禁止」を上書きしても良い。また、このとき、記憶部１３１は、ステップＳ５２にて記憶した信号受信ログの受信信号として「安全トリガ信号」を記憶する。続いて、記憶部１３１は、閲覧制御情報の閲覧範囲に、安全トリガ信号を受信した日時を設定する（ステップＳ５６）。また、閲覧制御部１２０は、通信端末３００に対して、安全トリガ信号を受信した旨を示す通知を行うものであっても良い。この通知は、電子メールやショートメッセージを用いて行うものであっても良い。
【００８９】
このように、記憶部１３１に記憶されている監視情報のうち最後に安全状態となったと判定してからの監視情報を、制御装置１０２が、被監視端末が危険状態になったと判定したときから安全状態になったと判定したときまでの間、監視端末から閲覧可能とする。これにより、被監視端末が危険状態である場合に必要な情報のみを閲覧でき、被監視者の動向を詳細に把握することができる。
（第４の実施の形態）
制御装置が安全トリガ信号を受信したときに、それ以前に記憶していた監視情報を削除するものであっても良い。
【００９０】
図１６は、本発明の監視情報閲覧システムの第４の実施の形態を示す図である。
【００９１】
本形態は図１６に示すように、制御装置１０３と、通信端末２０１，３００とが設けられている。また、制御装置１０３と、通信端末２０１，３００とが互いに通信ネットワーク４００を介して接続されている。なお、図１６には、通信端末２０１，３００がそれぞれ１台ずつである場合を例に挙げて示しているが、その数に限定しない。
【００９２】
通信端末２０１，３００は、第２の実施の形態におけるものと同じものである。
【００９３】
制御装置１０３は、通信端末２０１が取得した監視情報の通信端末３００からの閲覧を制御する。
【００９４】
図１７は、図１６に示した制御装置１０３の内部構成の一例を示す図である。
【００９５】
図１６に示した制御装置１０３には図１７に示すように、通信部１１０と、閲覧制御部１２０と、記憶部１３２とが設けられている。なお、図１７には、図１６に示した制御装置１０３に設けられた構成要素のうち、本実施の形態に関わる主要な構成要素の一例を示す。
【００９６】
通信部１１０および閲覧制御部１２０は、第２の実施の形態におけるものと同じである。
【００９７】
記憶部１３２は、通信端末２０１から送信されてきた監視情報を記憶する第１のメモリである。また、記憶部１３２は、監視端末と被監視端末とを対応付け、およびその対応付けに監視情報と閲覧制限とを対応付けて閲覧制御情報として記憶する。この閲覧制御情報については、第２の実施の形態にて説明したものと同じである。また、記憶部１３２は、通信部１１０が安全トリガ信号を受信した場合、それまでに記憶していた監視情報を削除する。記憶部１３２が監視情報を削除するタイミングは、通信部１１０が安全トリガ信号を受信したときであっても良いし、通信部１１０が安全トリガ信号を受信してから所定の時間が経過したときであっても良い。また、記憶部１３２は、通信部１１０が安全トリガ信号を受信し、その安全トリガ信号よりも前に受信した信号のうち最後に受信した信号が危険トリガ信号である場合、監視情報を削除しないものであっても良い。
【００９８】
以下に、図１６に示した監視情報閲覧システムにおける情報閲覧制御方法について説明する。図１６に示した通信端末２０１が監視情報を取得してから制御装置１０３が監視情報を記憶するまでの処理および通信端末２０１が危険状態または安全状態になったと判定したときの通信端末２０１における処理は、第２の実施の形態で説明した処理と同じであるため、ここでは説明を省略する。
【００９９】
図１８は、図１６に示した監視情報閲覧システムにおける情報閲覧制御方法のうち、通信端末２０１から危険トリガ信号または安全トリガ信号が送信されてきたときの制御装置１０３における処理を説明するためのフローチャートである。なお、初期状態では、記憶部１３２の閲覧制御情報の閲覧制限に「禁止」が記憶されている。
【０１００】
通信部１１０が通信端末２０１から送信されてきた信号を受信すると（ステップＳ６１）、閲覧制御部１２０は、通信部１１０が受信した信号が危険トリガ信号であるか安全トリガ信号であるかを判定する（ステップＳ６２）。
【０１０１】
閲覧制御部１２０が、通信部１１０が受信した信号が危険トリガ信号であると判定した場合、閲覧制御部１２０は、記憶部１３２に記憶されている閲覧制御情報の閲覧制限に「許可」を書き込むことで、通信端末３００に対して監視情報の閲覧を許可する設定を行う（ステップＳ６３）。また、閲覧制御部１２０は、通信端末３００に対して、危険トリガ信号を受信した旨を示す通知を行うものであっても良い。この通知は、電子メールやショートメッセージを用いて行うものであっても良い。通信端末３００からの監視情報の閲覧方法は、第２の実施の形態で説明したものと同じである。
【０１０２】
一方、閲覧制御部１２０が、通信部１１０が受信した信号が安全トリガ信号であると判定した場合、閲覧制御部１２０は、記憶部１３２に記憶されている閲覧制御情報の閲覧制限に「禁止」を書き込むことで、通信端末３００に対して監視情報の閲覧を禁止する設定を行う（ステップＳ６４）。なお、このとき、記憶部１３２に記憶されている閲覧制御情報の閲覧制限がすでに「禁止」である場合、記憶部１３２はあらためて「禁止」を書き込まなくても良いし、「禁止」を上書きしても良い。続いて、記憶部１３２は、記憶部１３２に記憶されている監視情報のうち、当該安全トリガ信号が送信されてくるまでに通信端末２０１が取得した監視情報を削除する（ステップＳ６５）。また、閲覧制御部１２０は、通信端末３００に対して、安全トリガ信号を受信した旨を示す通知を行うものであっても良い。この通知は、電子メールやショートメッセージを用いて行うものであっても良い。
【０１０３】
このように、記憶部１３２は必要な監視情報のみを記憶し、記憶部１３２に記憶されている監視情報を、制御装置１０３が、被監視端末が危険状態になったと判定したときから安全状態になったと判定したときまでの間、監視端末から閲覧可能とする。これにより、被監視端末が危険状態である場合に必要な情報のみを閲覧でき、被監視者の動向を詳細に把握することができる。
（第５の実施の形態）
被監視端末が取得した監視情報を、当該被監視端末が記憶しておくものであっても良い。
【０１０４】
図１９は、本発明の監視情報閲覧システムの第５の実施の形態を示す図である。
【０１０５】
本形態は図１９に示すように、制御装置１０４と、通信端末２０２，３００とが設けられている。また、制御装置１０４と、通信端末２０２，３００とが互いに通信ネットワーク４００を介して接続されている。なお、図１９には、通信端末２０２，３００がそれぞれ１台ずつである場合を例に挙げて示しているが、その数に限定しない。
【０１０６】
通信端末３００は、第１の実施の形態におけるものと同じものである。
【０１０７】
通信端末２０２は、監視者の監視対象である被監視者（例えば、子供やお年寄り等）が所持する携帯可能な被監視端末である。
【０１０８】
図２０は、図１９に示した通信端末２０２の内部構成の一例を示す図である。
【０１０９】
図１９に示した通信端末２０２には図２０に示すように、監視情報取得部２１０と、送信部２２１と、状態判定部２３０と、記憶部２４０とが設けられている。なお、図２０には、図１９に示した通信端末２０２に設けられた構成要素のうち、本実施の形態に関わる主要な構成要素の一例を示す。
【０１１０】
監視情報取得部２１０および状態判定部２３０は、第２の実施の形態において説明したものと同じものである。
【０１１１】
記憶部２４０は、監視情報取得部２１０が取得した監視情報を記憶する第２のメモリである。また、記憶部２４０は、監視情報取得部２１０が監視情報を取得した日時を示す日時情報を、当該監視情報と対応付けて記憶する。
【０１１２】
送信部２２１は、状態判定部２３０が、通信端末２０２が危険状態になったと判定した場合、通信ネットワーク４００を介して危険トリガ信号を制御装置１０４へ送信する。また、送信部２２１は、状態判定部２３０が、通信端末２０２が安全状態になったと判定した場合、通信ネットワーク４００を介して安全トリガ信号を制御装置１０４へ送信する。また、送信部２２１は、制御装置１０４から監視情報の要求があった場合、記憶部２４０から監視情報を読み出して通信ネットワーク４００を介して制御装置１０４へ送信する。また、送信部２２１は、監視情報を制御装置１０４に対して送信するのではなく、監視情報が閲覧できるサイトを示す情報（例えば、ＵＲＬ等）を制御装置１０４に対して送信するものであっても良い。
【０１１３】
制御装置１０４は、通信端末２０２が取得した監視情報の通信端末３００からの閲覧を制御する。
【０１１４】
図２１は、図１９に示した制御装置１０４の内部構成の一例を示す図である。
【０１１５】
図１９に示した制御装置１０４には図２１に示すように、通信部１１０と、閲覧制御部１２２と、記憶部１３３とが設けられている。なお、図２１には、図１９に示した制御装置１０４に設けられた構成要素のうち、本実施の形態に関わる主要な構成要素の一例を示す。
【０１１６】
通信部１１０は、通信ネットワーク４００との間のインタフェース機能を具備し、通信ネットワーク４００を介して他の通知装置との間で信号の送受信を行う。
【０１１７】
閲覧制御部１２２は、通信端末２０２が記憶している監視情報の通信端末３００からの閲覧を制御する。具体的には、閲覧制御部１２２は、通信端末２０１から危険トリガ信号が送信されてきてから安全トリガ信号が送信されてくるまでの間、通信端末３００に対して、通信端末２０２が記憶している監視情報の閲覧を許可する。この閲覧の許可は、通信端末３００から監視情報の閲覧の要求があった場合に、通信端末３００に対して、通信端末２０２が記憶している監視情報の閲覧の制限をかけないものであっても良い。また、この閲覧の許可は、通信端末３００から監視情報の閲覧の要求の有り無しに関わらず、閲覧制御部１２２が通信端末２０２へ監視情報を要求し、その要求に対して送信されてきた監視情報を所定のタイミングで通信部１１０を介して通信端末３００へ送信するものであっても良い。また、閲覧制御部１２２は、監視情報を通信端末３００に対して送信するのではなく、監視情報が閲覧できるサイトを示す情報（例えば、ＵＲＬ等）を通信端末３００に対して送信するものであっても良い。また、閲覧制御部１２２は、監視情報の閲覧を許可する際、記憶部１３３に記憶されている閲覧制御情報の閲覧制限に、許可を示す旨を書き込む。なお、閲覧制御部１２２は、それ以外の時間では、通信端末３００に対して監視情報の閲覧（アクセス）を禁止する。また、閲覧制御部１２２は、監視情報の閲覧を禁止する際、記憶部１３３に記憶されている閲覧制御情報の閲覧制限に、禁止を示す旨を書き込む。また、閲覧制御部１２２は、通信端末２０２から危険トリガ信号が送信されてきた際、通信端末３００に対して、その旨を示す通知を行うものであっても良い。また、閲覧制御部１２２は、通信端末２０２から安全トリガ信号が送信されてきた際、通信端末３００に対して、その旨を示す通知を行うものであっても良い。これらの通知は、電子メールやショートメッセージを用いて行うものであっても良い。
【０１１８】
記憶部１３３は、監視端末と被監視端末と閲覧制限とを対応付けて、閲覧制御情報として記憶する。
【０１１９】
図２２は、図２１に示した記憶部１３３が記憶している閲覧制御情報の一例を示す図である。
【０１２０】
図２１に示した記憶部１３３には図２２に示すように、被監視端末識別子と、閲覧制限と、監視端末識別子とが対応付けられて閲覧制御情報として記憶されている。被監視端末識別子は、被監視端末を識別するためにあらかじめ付与された識別情報である。閲覧制限は、当該閲覧制限と対応付けられた監視情報ファイルへの監視端末からの閲覧を許可するか禁止するかを示す情報である。監視端末識別子は、監視端末を識別するためにあらかじめ付与された識別情報である。
【０１２１】
例えば、図２２に示すように記憶部１３３に記憶された閲覧制御情報には、被監視端末識別子「Ａ００１」と、閲覧制限「禁止」と、監視端末識別子「Ｂ００１」とが対応付けられている。これは、被監視端末識別子が「Ａ００１」である通信端末を監視する監視端末の監視端末識別子が「Ｂ００１」であり、現在、監視端末からの監視情報の閲覧は禁止されていることを示している。また、被監視端末識別子「Ａ００２」と、閲覧制限「禁止」と、監視端末識別子「Ｂ００２」とが対応付けられている。これは、被監視端末識別子が「Ａ００２」である通信端末を監視する監視端末の監視端末識別子が「Ｂ００２」であり、現在、監視端末からの監視情報の閲覧は禁止されていることを示している。
【０１２２】
以下に、図１９に示した監視情報閲覧システムにおける情報閲覧制御方法について説明する。まずは、図１９に示した監視情報閲覧システムにおける情報閲覧制御方法のうち、通信端末２０２が監視情報を取得してから記憶するまでの処理について説明する。
【０１２３】
図２３は、図１９に示した監視情報閲覧システムにおける情報閲覧制御方法のうち、通信端末２０２が監視情報を取得してから記憶するまでの処理するためのフローチャートである。
【０１２４】
まず、監視情報取得部２１０は、所定のタイミングで監視情報を取得する（ステップＳ７１）。すると、記憶部２４０が、監視情報取得部２１０が取得した監視情報を記憶する（ステップＳ７２）。このとき、記憶部２４０は、監視情報取得部２１０が監視情報を取得した日時を示す日時情報を、当該監視情報と対応付けて記憶する。
【０１２５】
次に、図１９に示した監視情報閲覧システムにおける情報閲覧制御方法のうち、通信端末２０２が危険状態または安全状態になったと判定したときの処理について説明する。この処理は、上述した監視情報の取得、記憶の処理とは別個の処理として行われる。通信端末２０２が危険状態または安全状態になったと判定したときの通信端末２０２における処理は、第２の実施の形態において説明したものと同じである。
【０１２６】
図２４は、図１９に示した監視情報閲覧システムにおける情報閲覧制御方法のうち、通信端末２０２が危険状態または安全状態になったと判定したときの制御装置１０４における処理を説明するためのフローチャートである。
【０１２７】
まず、閲覧制御部１２２は、記憶部１３３に記憶されている閲覧制御情報の閲覧制限に「禁止」を書き込むことで、通信端末３００に対して監視情報の閲覧を禁止する設定を行う（ステップＳ８１）。この状態で通信端末３００から監視情報の閲覧の要求があった場合、閲覧制御部１２２は、通信端末３００に対して監視情報の閲覧を許可しない。このとき、制御装置１０４は、通信端末３００に対して監視情報の閲覧を許可しない旨を示す通知を行っても良い。
【０１２８】
その後、閲覧制御部１２２は、通信部１１０が危険トリガ信号を受信したかどうかを判定する（ステップＳ８２）。閲覧制御部１２２は、通信部１１０が危険トリガ信号を受信したと判定した場合、記憶部１３３に記憶されている閲覧制御情報の閲覧制限に「許可」を書き込むことで、通信端末３００に対して監視情報の閲覧を許可する設定を行う（ステップＳ８３）。このとき、閲覧制御部１２２は、通信端末３００に対して、その旨を示す通知を行うものであっても良い。この状態で通信端末３００から監視情報の閲覧の要求があった場合、閲覧制御部１２２は、通信端末３００に対して監視情報の閲覧を許可する。すると、閲覧制御部１２２は、通信端末２０２へ監視情報の要求を行い、その要求に対して通信端末２０２から送信されてきた監視情報を通信端末３００に対して通信部１１０を介して送信する。また、通信端末３００から監視情報の閲覧の要求があるかないかに関わらず、閲覧制御部１２２は、通信端末２０２へ監視情報の要求を行い、その要求に対して通信端末２０２から送信されてきた監視情報を通信端末３００に対して通信部１１０を介して送信するものであっても良い。また、閲覧制御部１２２は、監視情報を通信端末３００に対して送信するのではなく、監視情報が閲覧できるサイトを示す情報（例えば、ＵＲＬ等）を通信端末３００に対して送信するものであっても良い。
【０１２９】
その後、閲覧制御部１２２は、通信部１１０が安全トリガ信号を受信したかどうかを判定する（ステップＳ８４）。閲覧制御部１２２は、通信部１１０が安全トリガ信号を受信したと判定した場合、ステップＳ８１の処理を行う。このとき、閲覧制御部１２２は、通信端末３００に対して、その旨を示す通知を行うものであっても良い。
【０１３０】
なお、通信端末３００においては、所定のアプリケーション等を用いて監視情報の閲覧の要求を行った後、制御装置１０４から送信されてきた監視情報を、監視者が認識可能に画面表示や音出力等で外部へ出力する。また、通信端末３００は制御装置１０４から監視情報を閲覧できるサイトを示す情報が送信されてきた場合、当該サイトへアクセスし、取得した監視情報を、監視者が認識可能に画面表示や音出力等で外部へ出力する。
【０１３１】
図２５は、図１９に示した監視情報閲覧システムにおける情報閲覧制御方法のうち、制御装置１０４から監視情報の要求があった場合の通信端末２０２における処理を説明するためのフローチャートである。
【０１３２】
送信部２２１は、制御装置１０４から監視情報の要求があったかどうかを判定する（ステップＳ９１）。制御装置１０４からの監視情報の要求には、制御装置１０４と通信端末２０２との間であらかじめ決められた要求信号が用いられる。つまり、送信部２２１は、制御装置１０４から所定の要求信号を受信したかどうかを判定する。送信部２２１は、制御装置１０４から監視情報の要求があったと判定した場合、監視情報を記憶部２４０から読み出す（ステップＳ９２）。続いて、送信部２２１は、記憶部２４０から読み出した監視情報を、通信ネットワーク４００を介して制御装置１０４へ送信する（ステップＳ９３）。ここで、送信部２２１は、読み出した監視情報を一度に送信しても良いし、いくつかの単位に分割して送信しても良い。また、送信部２２１は、監視情報を制御装置１０４に対して送信するのではなく、監視情報が閲覧できるサイトを示す情報（例えば、ＵＲＬ等）を制御装置１０４に対して送信するものであっても良い。
【０１３３】
なお、記憶部２４０は、第４の実施の形態で説明したように、安全トリガ信号を送信したときに、それ以前に記憶していた監視情報を削除するものであっても良い。
【０１３４】
このように、被監視端末に記憶されている監視情報を、制御装置１０４が、被監視端末が危険状態になったと判定したときから安全状態になったと判定したときまでの間、監視端末から閲覧可能とする。これにより、被監視端末が危険状態である場合に被監視者の動向を詳細に把握することができる。
（第６の実施の形態）
閲覧情報の制限を被監視端末自身が行うものであっても良い。
【０１３５】
図２６は、本発明の監視情報閲覧システムの第６の実施の形態を示す図である。
【０１３６】
本形態は図２６に示すように、通信端末２０３，３００が設けられており、通信端末２０３，３００が互いに通信ネットワーク４００を介して接続されている。なお、図２６には、通信端末２０３，３００がそれぞれ１台ずつである場合を例に挙げて示しているが、その数に限定しない。
【０１３７】
通信端末３００は、第１の実施の形態におけるものと同じものである。
【０１３８】
通信端末２０３は、監視者の監視対象である被監視者（例えば、子供やお年寄り等）が所持する携帯可能な被監視端末である。
【０１３９】
図２７は、図２６に示した通信端末２０３の内部構成の一例を示す図である。
【０１４０】
図２６に示した通信端末２０３には図２７に示すように、監視情報取得部２１０と、状態判定部２３０と、記憶部２４１と、閲覧制御部２５０とが設けられている。なお、図２７には、図２６に示した通信端末２０３に設けられた構成要素のうち、本実施の形態に関わる主要な構成要素の一例を示す。
【０１４１】
監視情報取得部２１０および状態判定部２３０は、第２の実施の形態において説明したものと同じものである。
【０１４２】
記憶部２４１は、監視情報取得部２１０が取得した監視情報を記憶する第２のメモリである。また、記憶部２４１は、監視情報取得部２１０が監視情報を取得した日時を示す日時情報を、当該監視情報と対応付けて記憶する。また、記憶部２４１は、監視情報と閲覧制限と監視端末とを対応付けて、閲覧制御情報として記憶する。
【０１４３】
図２８は、図２７に示した記憶部２４１が記憶している閲覧制御情報の一例を示す図である。
【０１４４】
図２７に示した記憶部２４１には図２８に示すように、監視情報ファイル名と、閲覧制限と、監視端末識別子とが対応付けられて閲覧制御情報として記憶されている。監視情報ファイル名は、監視情報取得部２１０が取得して記憶部２４１に記憶されている監視情報に付与されたファイル名である。閲覧制限は、当該閲覧制限と対応付けられた監視情報ファイルへの監視端末からの閲覧を許可するか禁止するかを示す情報である。監視端末識別子は、監視端末を識別するためにあらかじめ付与された識別情報である。
【０１４５】
例えば、図２８に示すように記憶部２４１に記憶された閲覧制御情報には、監視情報ファイル名「Ａ００１＿２０１４０１０５」と、閲覧制限「禁止」と、監視端末識別子「Ｂ００１」とが対応付けられている。これは、通信端末２０３を監視する監視端末の監視端末識別子が「Ｂ００１」であり、現在、監視端末からの「Ａ００１＿２０１４０１０５」というファイル名で記憶部２４１に記憶されている監視情報の閲覧は禁止されていることを示している。
【０１４６】
閲覧制御部２５０は、記憶部２４１が記憶している監視情報の通信端末３００からの閲覧を制御する。具体的には、閲覧制御部２５０は、状態判定部２３０が、通信端末２０３が危険状態になったと判定してから安全状態になったと判定するまでの間、通信端末３００に対して、記憶部２４１が記憶している監視情報の閲覧を許可する。この閲覧の許可は、通信端末３００から監視情報の閲覧の要求があった場合に、通信端末３００に対して、記憶部２４１が記憶している監視情報の閲覧の制限をかけないものであっても良い。また、この閲覧の許可は、通信端末３００から監視情報の閲覧の要求の有り無しに関わらず、閲覧制御部２５０が、記憶部２４１が記憶している監視情報を読み出して所定のタイミングで通信端末３００へ送信するものであっても良い。また、閲覧制御部２５０は、監視情報を通信端末３００に対して送信するのではなく、監視情報が閲覧できるサイトを示す情報（例えば、ＵＲＬ等）を通信端末３００に対して送信するものであっても良い。また、閲覧制御部２５０は、監視情報の閲覧を許可する際、記憶部２４１に記憶されている閲覧制御情報の閲覧制限に、許可を示す旨を書き込む。なお、閲覧制御部２５０は、それ以外の時間では、通信端末３００に対して監視情報の閲覧（アクセス）を禁止する。また、閲覧制御部２５０は、監視情報の閲覧を禁止する際、記憶部２４１に記憶されている閲覧制御情報の閲覧制限に、禁止を示す旨を書き込む。また、閲覧制御部２５０は、記憶部２４１に記憶されている閲覧制御情報の閲覧制限に、許可を示す旨を書き込んだ際、通信端末３００に対して、その旨を示す通知を行うものであっても良い。また、閲覧制御部１２２は、記憶部２４１に記憶されている閲覧制御情報の閲覧制限に、禁止を示す旨を書き込んだ際、通信端末３００に対して、その旨を示す通知を行うものであっても良い。
【０１４７】
以下に、図２６に示した監視情報閲覧システムにおける情報閲覧制御方法について説明する。図２６に示した通信端末２０３が監視情報を取得してから記憶するまでの処理については、第５の実施の形態において説明したものと同じである。
【０１４８】
図２９は、図２６に示した監視情報閲覧システムにおける情報閲覧制御方法のうち、通信端末２０３が危険状態または安全状態になったと判定したときの処理を説明するためのフローチャートである。
【０１４９】
まず、閲覧制御部２５０は、記憶部２４１に記憶されている閲覧制御情報の閲覧制限に「禁止」を書き込むことで、通信端末３００に対して監視情報の閲覧を禁止する設定を行う（ステップＳ１０１）。この状態で通信端末３００から監視情報の閲覧の要求があった場合、閲覧制御部２５０は、通信端末３００に対して監視情報の閲覧を許可しない。このとき、通信端末２０３は、通信端末３００に対して監視情報の閲覧を許可しない旨を示す通知を行っても良い。
【０１５０】
その後、状態判定部２３０が、通信端末２０３に対して行われた操作に基づいて、通信端末２０３が危険状態となったかどうかを判定する（ステップＳ１０２）。状態判定部２３０が、通信端末２０３が危険状態になったと判定すると、閲覧制御部２５０は、記憶部２４１に記憶されている閲覧制御情報の閲覧制限に「許可」を書き込むことで、通信端末３００に対して監視情報の閲覧を許可する設定を行う（ステップＳ１０３）。このとき、閲覧制御部２５０は、通信端末３００に対して、その旨を示す通知を行うものであっても良い。この通知は、電子メールやショートメッセージを用いて行うものであっても良い。この状態で通信端末３００から監視情報の閲覧の要求があった場合、閲覧制御部２５０は、通信端末３００に対して監視情報の閲覧を許可する。このとき、閲覧制御部２５０は、監視情報を記憶部２４１から読み出して通信端末３００に対して送信する。また、通信端末３００から監視情報の閲覧の要求があるかないかに関わらず、閲覧制御部２５０は、監視情報を記憶部２４１から読み出して通信端末３００に対して送信するものであっても良い。
【０１５１】
その後、状態判定部２３０は、通信端末２０３に対して行われた操作に基づいて、通信端末２０３が安全状態となったかどうかを判定する（ステップＳ１０４）。状態判定部２３０が、通信端末２０３が安全状態になったと判定すると、ステップＳ１０１の処理を行う。このとき、閲覧制御部２５０は、通信端末３００に対して、その旨を示す通知を行うものであっても良い。この通知は、電子メールやショートメッセージを用いて行うものであっても良い。
【０１５２】
なお、通信端末３００においては、所定のアプリケーション等を用いて監視情報の閲覧の要求を行った後、通信端末２０３から送信されてきた監視情報を、監視者が認識可能に画面表示や音出力等で外部へ出力する。また、通信端末３００は通信端末２０３から監視情報を閲覧できるサイトを示す情報が送信されてきた場合、当該サイトへアクセスし、取得した監視情報を、監視者が認識可能に画面表示や音出力等で外部へ出力する。
【０１５３】
なお、記憶部２４１は、通信端末２０３が安全状態になったと判定したときに、それ以前に記憶していた監視情報を削除するものや、第３に実施の形態で説明したような閲覧範囲を制限するものであっても良い。
【０１５４】
このように、被監視端末に記憶されている監視情報を、被監視端末が危険状態になったと判定したときから安全状態になったと判定したときまでの間、監視端末から閲覧可能とする。これにより、被監視端末が危険状態である場合に被監視者の動向を詳細に把握することができる。
（その他の変形例）
その他の変形例について、いくつか例を挙げて説明する。
【０１５５】
上述した実施の形態では、被監視端末が危険状態または安全状態と判定する基準が、当該被監視端末の存在場所に問わず一定のものであるが、例えば、被監視端末が被監視者の家の外に存在する場合と、家の中に存在する場合とで、異なる基準を設けても良い。この場合、ＧＰＳ機能等を用いて被監視端末が家の外に存在するか家の中に存在するかを判定しても良い。また、家の玄関等の出入り口にＲＦＩＤタグを取り付けておき、被監視端末に搭載されたＲＦＩＤタグリーダがＲＦＩＤタグを認識したときに、被監視端末が家の外に出た、または家の中に入ったことを判定するものであっても良い。例えば、上述した第２の操作の例のうち、充電器への接続、充電器からの切断、所定の場所に置く等の操作に関しては、被監視端末が家の中に存在する場合に特化した基準としても良い。
【０１５６】
また、寝室等の特定の部屋のドアにＲＦＩＤタグを取り付けておき、被監視端末に搭載されたＲＦＩＤタグリーダがＲＦＩＤタグを認識したかどうかを基準とする。これにより、被監視端末が寝室等の特定の部屋に閉じこもったままであるかどうかを認識することができ、危険状態であるかどうかを判定することができる。また、同様に、トイレのドアにＲＦＩＤタグを取り付けておくことで、被監視端末がトイレに閉じこもったままであるかどうかを認識することができ、危険状態であるかどうかを判定することができる。
【０１５７】
また、被監視端末が歩数計を具備したものである場合、この歩数計のカウント状態を用いて、被監視端末が危険状態または安全状態と判定するものであっても良い。例えば、歩数計が所定の時間、カウントを行わない場合、被監視端末が危険状態となったと判定するものであっても良い。
【０１５８】
また、上述した「安全状態になったと判定した後、所定の時間が経過しても、第２の操作が行われなかった場合に危険状態になったと判定する」場合の「所定の時間」は、外部から設定・変更可能である。また、この「所定の時間」は、昼間は短く、また、夜間は長く設定するように、時間帯や曜日、季節等に応じて、異なる時間を設定するものであっても良い。
【０１５９】
以上説明したように、本発明においては、被監視者が所持する被監視端末が監視情報を取得する。また、被監視端末が危険状態となった時から安全状態となったときまでの間、監視者からの監視情報の閲覧を許可する。これにより、被監視端末が危険状態である場合に被監視者の動向を詳細に把握することができる。
【０１６０】
上述した制御装置１００〜１０４、通信端末２００〜２０３それぞれに設けられた各構成要素が行う処理は、目的に応じてそれぞれ作製された論理回路で行うようにしても良い。また、処理内容を手順として記述したコンピュータプログラム（以下、プログラムと称する）を制御装置１００〜１０４、通信端末２００〜２０３それぞれにて読取可能な記録媒体に記録し、この記録媒体に記録されたプログラムを制御装置１００〜１０４、通信端末２００〜２０３それぞれに読み込ませ、実行するものであっても良い。制御装置１００〜１０４、通信端末２００〜２０３それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｃ）などの移設可能な記録媒体の他、制御装置１００〜１０４、通信端末２００〜２０３それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）等を指す。この記録媒体に記録されたプログラムは、制御装置１００〜１０４、通信端末２００〜２０３それぞれに設けられたＣＰＵ（Ｃｅｎｔｒａｌ  Ｐｒｏｃｅｓｓｉｎｇ  Ｕｎｉｔ）（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１６１】
上記の実施の形態の一部または全部は、以下の付記のようにも記載され得るが、以下には限られない。
（付記１）監視者が操作する監視端末と、
前記監視者の監視対象である被監視者が所持し、所定の監視情報を取得する被監視端末と、
制御装置とを有し、
前記被監視端末は、当該被監視端末に対して行われた操作に基づいて、当該被監視端末が第１の状態または第２の状態となったかどうかを判定し、当該被監視端末が前記第１の状態となったと判定した場合、第１の信号を前記制御装置へ送信し、当該被監視端末が前記第２の状態となったと判定した場合、第２の信号を前記制御装置へ送信し、
前記制御装置は、前記被監視端末から前記第１の信号が送信されてきてから前記第２の信号が送信されてくるまでの間、前記監視端末に対して前記監視情報の閲覧を許可する監視情報閲覧システム。
（付記２）前記被監視端末は、当該被監視端末の存在位置を示す位置情報を前記監視情報として取得する、付記１に記載の監視情報閲覧システム。
（付記３）前記被監視端末は、撮影機能を具備し、該撮影機能を用いて撮影した画像を前記監視情報として取得する、付記１または付記２に記載の監視情報閲覧システム。
（付記４）前記被監視端末は、集音機能を具備し、該集音機能を用いて当該被監視端末の周囲の音を前記監視情報として取得する、付記１から３のいずれか１項に記載の監視情報閲覧システム。
（付記５）前記被監視端末は、前記取得した監視情報を前記制御装置へ送信し、
前記制御装置は、前記被監視端末から送信されてきた監視情報を第１のメモリに記憶し、該第１のメモリに記憶されている監視情報の閲覧を前記監視端末に対して許可する、付記１から４のいずれか１項に記載の監視情報閲覧システム。
（付記６）前記被監視端末は、前記取得した監視情報を第２のメモリに記憶し、
前記制御装置は、前記第２のメモリに記憶されている監視情報の閲覧を前記監視端末に対して許可する、付記１から４のいずれか１項に記載の監視情報閲覧システム。
（付記７）前記制御装置は、前記被監視端末から前記第１の信号が送信されてきた場合、該第１の信号よりも前に送信されてきた前記第２の信号のうち最後に送信されてきた前記第２の信号を該被監視端末が送信した後に該被監視端末が取得した監視情報の閲覧を前記監視端末に対して許可する、付記１から６のいずれか１項に記載の監視情報閲覧システム。
（付記８）前記制御装置は、前記被監視端末から前記第２の信号が送信されてきた場合、該第２の信号を該被監視端末が送信するまでに該被監視端末が取得した監視情報を前記第１のメモリから削除する、付記５に記載の監視情報閲覧システム。
（付記９）前記被監視端末は、前記第２の信号を送信した場合、該第２の信号を送信するまでに当該被監視端末が取得した監視情報を前記第２のメモリから削除する、付記６に記載の監視情報閲覧システム。
（付記１０）前記被監視端末は、当該被監視端末に対して、所定の第１の操作が行われた場合、前記第１の状態になったと判定し、所定の第２の操作が行われた場合、前記第２の状態になったと判定する、付記１から９のいずれか１項に記載の監視情報閲覧システム。
（付記１１）前記被監視端末は、当該被監視端末に対して、所定の第２の操作が行われた場合、前記第２の状態になったと判定し、その後、所定の時間が経過しても、前記第２の操作が行われない場合、前記第１の状態になったと判定する、付記１から９のいずれか１項に記載の監視情報閲覧システム。
（付記１２）前記被監視端末は、前記被監視端末の存在位置が所定の範囲外である状態で前記第２の操作が行われて前記第２の状態になったと判定した後、所定の時間が経過しても、前記被監視端末の存在位置が前記範囲外である場合、前記第１の状態になったと判定する、付記１１に記載の監視情報閲覧システム。
（付記１３）前記制御装置は、前記被監視端末から前記第１の信号が送信されてきた場合、前記監視端末に対して所定の第１の通知を行う、付記１から１２のいずれか１項に記載の監視情報閲覧システム。
（付記１４）前記制御装置は、前記被監視端末から前記第２の信号が送信されてきた場合、前記監視端末に対して所定の第２の通知を行う、付記１から１３のいずれか１項に記載の監視情報閲覧システム。
（付記１５）監視者の監視対象である被監視者が所持する通信端末であって、
所定の監視情報を取得する監視情報取得部と、
前記監視情報取得部が取得した監視情報を所定の制御装置へ送信する送信部と、
当該通信端末に対して行われた操作に基づいて、当該通信端末が第１の状態または第２の状態になったかどうかを判定する状態判定部とを有し、
前記送信部は、前記状態判定部が、当該通信端末が前記第１の状態になったと判定した場合、第１の信号を前記制御装置へ送信し、当該通信端末が前記第２の状態になったと判定した場合、第２の信号を前記制御装置へ送信する通信端末。
（付記１６）監視者の監視対象である被監視者が所持する通信端末であって、
所定の監視情報を取得する監視情報取得部と、
前記監視情報取得部が取得した監視情報を記憶する記憶部と、
当該通信端末に対して行われた操作に基づいて、当該通信端末が第１の状態または第２の状態になったかどうかを判定する状態判定部と、
前記状態判定部が、当該通信端末が前記第１の状態になったと判定した場合、第１の信号を所定の制御装置へ送信し、当該通信端末が前記第２の状態になったと判定した場合、第２の信号を前記制御装置へ送信し、前記制御装置から前記監視情報の要求があった場合、前記記憶部から前記監視情報を読み出して前記制御装置へ送信する送信部とを有する通信端末。
（付記１７）監視者の監視対象である被監視者が所持する通信端末であって、
所定の監視情報を取得する監視情報取得部と、
前記監視情報取得部が取得した監視情報を記憶する記憶部と、
当該通信端末に対して行われた操作に基づいて、当該通信端末が第１の状態または第２の状態になったかどうかを判定する状態判定部と、
前記状態判定部が、当該通信端末が前記第１の状態になったと判定してから前記第２の状態になったと判定するまでの間、前記監視者が操作する監視端末に対して、前記記憶部が記憶している監視情報の閲覧を許可する閲覧制御部とを有する通信端末。
（付記１８）監視者の監視対象である被監視者が所持する被監視端末から送信されてきた監視情報を記憶する記憶部と、
前記被監視端末から第１の信号が送信されてきてから第２の信号が送信されてくるまでの間、前記監視者が操作する監視端末に対して、前記記憶部が記憶している監視情報の閲覧を許可する閲覧制御部とを有する制御装置。
（付記１９）監視者の監視対象である被監視者が所持する被監視端末から第１の信号が送信されてきてから第２の信号が送信されてくるまでの間、前記監視者が操作する監視端末に対して、前記被監視端末が取得した監視情報の閲覧を許可する閲覧制御部を有する制御装置。
（付記２０）監視者が操作する監視端末と、前記監視者の監視対象である被監視者が所持する被監視端末と、制御装置とを有するシステムにおける情報閲覧制御方法において、
前記被監視端末が、所定の監視情報を取得する処理と、
前記被監視端末が、当該被監視端末に対して行われた操作に基づいて、当該被監視端末が第１の状態または第２の状態となったかどうかを判定する処理と、
前記被監視端末が、当該被監視端末が前記第１の状態となったと判定した場合、第１の信号を前記制御装置へ送信する処理と、
前記被監視端末が、当該被監視端末が前記第２の状態となったと判定した場合、第２の信号を前記制御装置へ送信する処理と、
前記制御装置が、前記被監視端末から前記第１の信号が送信されてきてから前記第２の信号が送信されてくるまでの間、前記監視端末に対して前記監視情報の閲覧を許可する処理とを行う情報閲覧制御方法。
（付記２１）監視者の監視対象である被監視者が所持する被監視端末から送信されてきた監視情報をメモリに記憶する処理と、
前記被監視端末から第１の信号が送信されてきてから第２の信号が送信されてくるまでの間、前記監視者が操作する監視端末に対して、前記メモリが記憶している監視情報の閲覧を許可する処理とを行う情報閲覧制御方法。
（付記２２）監視者の監視対象である被監視者が所持する通信端末に、
所定の監視情報を取得する手順と、
前記取得した監視情報を所定の制御装置へ送信する手順と、
当該通信端末に対して行われた操作に基づいて、当該通信端末が第１の状態または第２の状態になったかどうかを判定する手順と、
当該通信端末が前記第１の状態になったと判定した場合、第１の信号を前記制御装置へ送信する手順と、
当該通信端末が前記第２の状態になったと判定した場合、第２の信号を前記制御装置へ送信する手順とを実行させるためのプログラム。
（付記２３）監視者の監視対象である被監視者が所持する通信端末に、
所定の監視情報を取得する手順と、
前記取得した監視情報をメモリに記憶する手順と、
当該通信端末に対して行われた操作に基づいて、当該通信端末が第１の状態または第２の状態になったかどうかを判定する手順と、
当該通信端末が前記第１の状態になったと判定した場合、第１の信号を所定の制御装置へ送信する手順と、
当該通信端末が前記第２の状態になったと判定した場合、第２の信号を前記制御装置へ送信する手順とを実行させるためのプログラム。
（付記２４）監視者の監視対象である被監視者が所持する通信端末に、
所定の監視情報を取得する手順と、
前記取得した監視情報をメモリに記憶する手順と、
当該通信端末に対して行われた操作に基づいて、当該通信端末が第１の状態または第２の状態になったかどうかを判定する手順と、
当該通信端末が前記第１の状態になったと判定してから前記第２の状態になったと判定するまでの間、前記監視者が操作する監視端末に対して、前記メモリが記憶している監視情報の閲覧を許可する手順とを実行させるためのプログラム。
（付記２５）コンピュータに、
監視者の監視対象である被監視者が所持する被監視端末から送信されてきた監視情報をメモリに記憶する手順と、
前記被監視端末から第１の信号が送信されてきてから第２の信号が送信されてくるまでの間、前記監視者が操作する監視端末に対して、前記メモリが記憶している監視情報の閲覧を許可する手順とを実行させるためのプログラム。
（付記２６）コンピュータに、
監視者の監視対象である被監視者が所持する被監視端末から第１の信号が送信されてきてから第２の信号が送信されてくるまでの間、前記監視者が操作する監視端末に対して、前記被監視端末が取得した監視情報の閲覧を許可する手順を実行させるためのプログラム。
【符号の説明】
【０１６２】
１００〜１０４    制御装置
１１０    通信部
１２０〜１２２，２５０    閲覧制御部
１３０〜１３３，２４０，２４１    記憶部
２００〜２０３，３００    通信端末
２１０    監視情報取得部
２２０，２２１    送信部
２３０    状態判定部
４００    通信ネットワーク
【図１】
2015156097.tif 000003
【図２】
2015156097.tif 000004
【図３】
2015156097.tif 000005
【図４】
2015156097.tif 000006
【図５】
2015156097.tif 000007
【図６】
2015156097.tif 000008
【図７】
2015156097.tif 000009
【図８】
2015156097.tif 000010
【図９】
2015156097.tif 000011
【図１０】
2015156097.tif 000012
【図１１】
2015156097.tif 000013
【図１２】
2015156097.tif 000014
【図１３】
2015156097.tif 000015
【図１４】
2015156097.tif 000016
【図１５】
2015156097.tif 000017
【図１６】
2015156097.tif 000018
【図１７】
2015156097.tif 000019
【図１８】
2015156097.tif 000020
【図１９】
2015156097.tif 000021
【図２０】
2015156097.tif 000022
【図２１】
2015156097.tif 000023
【図２２】
2015156097.tif 000024
【図２３】
2015156097.tif 000025
【図２４】
2015156097.tif 000026
【図２５】
2015156097.tif 000027
【図２６】
2015156097.tif 000028
【図２７】
2015156097.tif 000029
【図２８】
2015156097.tif 000030
【図２９】
2015156097.tif 000031